(57)【要約】【課題】磁気センサの誤検出をより確実に防止可能な弾球遊技機を提供する。【解決手段】通常大入賞口制御手段及び振分大入賞口制御手段は、所定の駆動時間（２８８００ｍｓ開放又は２９０００ｍｓ開放）に亘り通常用開閉ソレノイド及び振分用開閉ソレノイドをオン作動させる制御を行う際、駆動時間のうち通常用開閉扉及び振分用開閉扉の駆動に影響を及ぼさない程度の瞬停時間に亘り、通常用開閉ソレノイド及び振分用開閉ソレノイドを一時的にオフ作動させる制御を行う。そして、異常判定手段は、通常大入賞口制御手段及び振分大入賞口制御手段が通常用開閉ソレノイド及び振分用開閉ソレノイドをオフ作動させる制御を行う停止時間のときと、上述の駆動時間における瞬停時間のときに、磁気センサから送信される磁気検出信号を受信して異常の有無を判定する。【選択図】図２１
2015119760.tif 000002
【特許請求の範囲】
【請求項１】
前面側に所定の遊技領域が形成される遊技盤を備えた弾球遊技機であって、
前記遊技盤は、前記遊技盤の前面側に設けられる可動部材と、前記可動部材を駆動する電磁駆動装置と、前記遊技盤又は前記遊技盤の近傍で生じる磁界を検出して検出信号を送信する磁気センサとを有して構成されており、
前記電磁駆動装置をオン・オフ作動させる制御を行う電磁駆動装置制御手段と、
前記磁気センサから送信される検出信号を受信し、該検出信号に基づいて異常の有無を判定する磁気異常判定手段とを備え、
前記電磁駆動装置制御手段は、所定の駆動時間に亘り前記電磁駆動装置をオン作動させる制御を行う際、前記駆動時間のうち前記可動部材の駆動に影響を及ぼさない程度の瞬停時間に亘り、前記電磁駆動装置を一時的にオフ作動させる制御を行い、
前記磁気異常判定手段は、前記電磁駆動装置制御手段が前記電磁駆動装置をオフ作動させる制御を行う停止時間のときと、前記駆動時間における前記瞬停時間のときに、前記磁気センサから送信される検出信号を受信して前記異常の有無を判定することを特徴とする弾球遊技機。
【請求項２】
前記遊技盤は、前記遊技領域に設けられた開閉型入賞装置を有し、
前記開閉型入賞装置は、遊技球が通過可能な入賞口と、前記可動部材として前記入賞口を開閉可能な開閉部材と、前記開閉部材が前記入賞口を閉じるように付勢力を加える付勢部材と、前記付勢力に抗して前記入賞口を開くように前記開閉部材を駆動する前記電磁駆動装置とを有していることを特徴とする請求項１に記載の弾球遊技機。
【請求項３】
前記開閉型入賞装置は、前記開閉部材が前記付勢力を受けて前記入賞口を閉じるのを前記入賞口を開くときよりも遅くするダンパー部材を有していることを特徴とする請求項２に記載の弾球遊技機。
【発明の詳細な説明】
【技術分野】
【０００１】
本発明は、ぱちんこ遊技機等の弾球遊技機に関する。
【背景技術】
【０００２】
ぱちんこ遊技機には、遊技領域を構成する遊技盤のほぼ中央にセンター飾りを配置し、このセンター飾りに液晶ディスプレイ等の演出表示装置を設けたものが知られている（例えば、特許文献１を参照）。このようなぱちんこ遊技機は、遊技領域内に設けられた始動入賞口に遊技球が入球したことを契機として、演出表示装置において複数の図柄（装飾図柄）を変動させた後に停止表示したときの図柄の組み合わせが予め設定された当たり図柄であった場合、特別遊技状態（大当たり）を成立させるように構成されている。特別遊技状態においては、遊技領域内に設けられたアタッカーと称される大入賞口を開放して遊技球の入球を容易にし、これにより遊技者が大量の賞球を獲得できるようになっている。
【０００３】
近年、磁石により遊技球を所望の位置に導いて、遊技球を始動入賞口等に入球させようとする不正行為が増加しつつある。これに対し、磁石により生じる磁界を検出する磁気センサを設け、磁石を用いた不正行為が行われているか否かを判定可能なぱちんこ遊技機が考案されている（例えば、特許文献１を参照）。
【先行技術文献】
【特許文献】
【０００４】
【特許文献１】特開２００８−３７５号公報
【発明の概要】
【発明が解決しようとする課題】
【０００５】
しかしながら、遊技盤には、例えば大入賞口を開放駆動するソレノイド等の電磁駆動装置が設けられており、電磁駆動装置が作動する際に生じる磁界が磁気センサで検出され、磁石を用いた不正行為が行われていなくても、当該不正行為が行われていると誤って判定されるおそれがあった。
【０００６】
本発明は、このような課題に鑑みてなされたものであり、磁気センサの誤検出をより確実に防止可能な弾球遊技機を提供することを目的とする。
【課題を解決するための手段】
【０００７】
このような目的達成のため、本発明に係る弾球遊技機は、前面側に所定の遊技領域が形成される遊技盤を備えた弾球遊技機であって、前記遊技盤は、前記遊技盤の前面側に設けられる可動部材と、前記可動部材を駆動する電磁駆動装置と、前記遊技盤又は前記遊技盤の近傍で生じる磁界を検出して検出信号を送信する磁気センサとを有して構成されており、前記電磁駆動装置をオン・オフ作動させる制御を行う電磁駆動装置制御手段と、前記磁気センサから送信される検出信号を受信し、該検出信号に基づいて異常の有無を判定する磁気異常判定手段とを備え、前記電磁駆動装置制御手段は、所定の駆動時間に亘り前記電磁駆動装置をオン作動させる制御を行う際、前記駆動時間のうち前記可動部材の駆動に影響を及ぼさない程度の瞬停時間に亘り、前記電磁駆動装置を一時的にオフ作動させる制御を行い、前記磁気異常判定手段は、前記電磁駆動装置制御手段が前記電磁駆動装置をオフ作動させる制御を行う停止時間のときと、前記駆動時間における前記瞬停時間のときに、前記磁気センサから送信される検出信号を受信して前記異常の有無を判定するようになっている。
【発明の効果】
【０００８】
本発明によれば、磁気センサの誤検出をより確実に防止することができる。
【図面の簡単な説明】
【０００９】
【図１】ぱちんこ遊技機の斜視図である。
【図２】ぱちんこ遊技機の後面図である。
【図３】遊技盤の斜視図である。
【図４】遊技盤の正面図である。
【図５】遊技盤の一部を示す分解斜視図である。
【図６】遊技盤の一部を示す斜視図である。
【図７】第２始動入賞装置及び大入賞装置の正面図である。
【図８】第２始動入賞装置及び大入賞装置を前方から見た斜視図である。
【図９】（ａ）は後側球通路部材を上方から見た斜視図であり、（ｂ）は後側球通路部材を上方から見た正面図である。
【図１０】（ａ）は後側球通路部材を下方から見た正面図であり、（ｂ）は後側球通路部材を下方から見た斜視図である。
【図１１】ぱちんこ遊技機の電気的な接続を示すブロック図である。
【図１２】ぱちんこ遊技機の機能を示すブロック図である。
【図１３】主制御装置における処理を示すメインフローチャートである。
【図１４】特別遊技制御処理を示すフローチャートである。
【図１５】振分大入賞口制御処理を示すフローチャートである。
【図１６】開放態様決定テーブルを示す図である。
【図１７】振分大入賞口開閉制御処理を示すフローチャートである。
【図１８】通常大入賞口制御処理を示すフローチャートである。
【図１９】通常大入賞口開閉制御処理を示すフローチャートである。
【図２０】異常判定処理を示すフローチャートである。
【図２１】磁気異常判定処理のタイミングチャートである。
【図２２】主制御装置での特別遊技実行時における、振分大入賞口が長開放Ａ、且つ排出球異常非検出時の作用図である。
【図２３】主制御装置での特別遊技実行時における、振分大入賞口が長開放Ｂ、且つ排出球異常非検出時の作用図である。
【図２４】主制御装置での特別遊技実行時における、振分大入賞口が短開放、且つ排出球異常非検出時の作用図である。
【発明を実施するための形態】
【００１０】
以下、本発明の好ましい実施形態について図面を参照して説明する。本実施形態に係る弾球遊技機の代表例として、ぱちんこ遊技機ＰＭの斜視図及び背面図を図１及び図２に示しており、まず、この図を参照してぱちんこ遊技機ＰＭの全体構成について説明する。
【００１１】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉及び着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉及び着脱可能に組み付けられ、施錠装置４を利用して常には前枠２の前面を覆う閉鎖状態に保持される。前枠２には、遊技盤１００が着脱可能にセット保持され、常には閉鎖保持されるガラス枠５の複層ガラス５ａを通して遊技盤１００の正面の遊技領域ＰＡを視認可能に臨ませるようになっている。
【００１３】
ガラス枠５の下部には遊技球を貯留する上下の球皿（上球皿６ａ及び下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１４】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉及び着脱が可能に連結されている。この裏セット盤３０には、前面開放の矩形箱状をなす裏セットカバー３０Ｃが着脱自在に装着されており、常には前枠２に取り付けられた遊技盤１００の裏面側を覆って配設されている（これにより後述する主制御装置１０００及び副制御装置２０００が裏セットカバー３０Ｃにより覆われる）。
【００１５】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１６】
遊技盤１０の背面側には、ぱちんこ遊技機ＰＭの作動を統括的に制御する主制御基板等からなる主制御装置１０００や、遊技展開に応じた画像表示、効果照明、効果音等の演出全般の制御を行う演出制御基板等からなる副制御装置２０００などが取り付けられている。これに対して、裏セット盤３０の背面側には、遊技球の発射及び払い出しに関する制御を行う払出制御基板等からなる払出制御装置３０００や、遊技施設側から受電して各種制御装置や電気・電子部品に電力を供給する電源供給ユニット３５００などが取り付けられている。これらの制御装置とぱちんこ遊技機ＰＭ各部の電気・電子部品とがワイヤーハーネスで接続されて、ぱちんこ遊技機ＰＭが作動可能に構成されている。
【００１７】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００１８】
［遊技盤の構成］
次に、本実施形態に係る遊技盤１００について図３〜図１０を参照して説明する。なお、本実施形態において、図３の各矢印で示す方向をそれぞれ、上下方向、前後方向、左右方向として説明する。
【００１９】
遊技盤１００は、図３〜図４に示すように、板状のベース部材１０１と、ベース部材１０１の前面側に取り付けられたレール部材１０７とを有し、ベース部材１０１におけるレール部材１０７に囲まれた部分に遊技領域ＰＡが形成される。この遊技領域ＰＡには、多数の遊技釘（図示せず）とともに、遊技領域ＰＡの中央部近傍に配置されたセンター飾り１１２と、センター飾り１１２の下方に配置された装飾ユニット１１３と、複数の一般入賞装置１１４，１１４，…と、センター飾り１１２と装飾ユニット１１３との間に配置された第１始動入賞装置１１５と、装飾ユニット１１３の右方に配置された第２始動入賞装置１５０と、第２始動入賞装置１５０の上方に配置された大入賞装置１６０と、センター飾り１１２と大入賞装置１６０との間に配置された補助遊技始動ゲート１１８と、遊技領域ＰＡの下端に配置されたアウト口１１９とが設けられている。なお、図３において一般入賞装置１１４，１１４，…の図示を省略し、図４において装飾ユニット１１３の図示を省略している。
【００２０】
ベース部材１０１は、図５に示すように、アクリル樹脂等の透明樹脂材料を用いて板状に形成される。ベース部材１０１の略中央部には、センター飾り１１２を取り付けるためのセンター飾り取り付け穴１０２が形成される。ベース部材１０１の左下部には、左側の一般入賞装置１１４，１１４，…を取り付けるための一般入賞装置取り付け穴１０３が形成される。ベース部材１０１の下部には、第１始動入賞装置１１５及び装飾ユニット１１３を取り付けるための第１始動入賞装置取り付け穴１０４が形成される。ベース部材１０１の右下部には、第２始動入賞装置１５０を取り付けるための第２始動入賞装置取り付け穴１０５と、大入賞装置１６０を取り付けるための大入賞装置取り付け穴１０６が形成される。ベース部材１０１の下端部中央には、アウト口１１９が形成される。
【００２１】
なお、ベース部材１０１の後面側における大入賞装置１６０の後方には、大入賞装置１６０と別体に形成された球通路部材１８０が取り付けられる。また、図３に示すように、センター飾り１１２には、可動式装飾部材１４３が取り付けられ、センター飾り１１２に内蔵された電磁駆動装置（図示せず）により可動式装飾部材１４３が上下方向に移動可能に構成されている。また、ベース部材１０１の後面側に演出表示装置１４５が取り付けられ、センター飾り１１２が取り付けられたセンター飾り取り付け穴１０２の開口部分を通じて演出表示装置１４５の画面を前方から視認可能に構成されている。
【００２２】
一般入賞装置１１４は、図４及び図６に示すように、遊技球が落入可能な一般入賞口１１４ａを有し、一般入賞口１１４ａに落入した遊技球をベース部材１０１の後面側に排出させる。一般入賞装置１１４と繋がる通路には、一般入賞口１１４ａに落入した遊技球を検出する一般入賞センサ１１４ｓ（図１２を参照）が設けられている。
【００２３】
第１始動入賞装置１１５は、図４及び図６に示すように、遊技球が落入可能な第１始動入賞口１１５ａを有し、第１始動入賞口１１５ａに落入した遊技球をベース部材１０１の後面側に排出させる。第１始動入賞装置１１５と繋がる通路には、第１始動入賞口１１５ａに落入した遊技球を検出する第１始動入賞センサ１１５ｓ（図１２を参照）が設けられている。
【００２４】
補助遊技始動ゲート１１８は、補助遊技始動ゲート１１８の開口部に落入した遊技球を補助遊技始動ゲート１１８の下方へ通過させる。補助遊技始動ゲート１１８には、補助遊技始動ゲート１１８を通過した遊技球を検出するゲートセンサ１１８ｓ（図７及び図１２を参照）が設けられている。
【００２５】
第２始動入賞装置１５０は、いわゆるベロ型チャッカーであり、図７〜図８に示すように、第２始動入賞口１５１ａを有する始動入賞部材１５１と、始動入賞ガード部材１５３と、始動入賞球通路部材１５６と、始動口開閉装置１５７とを有している。始動入賞部材１５１は、樹脂材料を用いて板状に形成されるとともに表面に鍍金が施されている。始動入賞部材１５１は、ネジ等の固定手段を用いてベース部材１０１の前面側に固定される。始動入賞部材１５１の中央部には、遊技球が入球可能な第２始動入賞口１５１ａが開口して形成される。
【００２６】
始動入賞ガード部材１５３は、始動入賞部材１５１の前面側に結合され、遊技球が入球可能に第２始動入賞口１５１ａの前方を囲むように構成されている。なお、始動入賞ガード部材１５３の表面に、始動入賞部材１５１と同様の鍍金が施されている。始動入賞球通路部材１５６は、始動入賞部材１５１の後面側に結合され、ベース部材１０１の第２始動入賞装置取り付け穴１０５に挿通されてベース部材１０１の後面側に達するようになっている。始動入賞球通路部材１５６の内部には、第２始動入賞口１５１ａと繋がる球排出通路（図示せず）が形成されており、第２始動入賞口１５１ａを通過した遊技球をベース部材１０１の後面側に導いて下方に排出するように構成される。この球排出通路（図示せず）には、第２始動入賞口１５１ａに落入した遊技球を検出する第２始動入賞センサ１５１ｓ（図１２を参照）が設けられている。
【００２７】
始動口開閉装置１５７は、始動入賞球通路部材１５６の後部に取り付けられる。始動口開閉装置１５７は、所定の遊技状態のときに、始動入賞部材１５１と始動入賞ガード部材１５３とに囲まれた空間に達した遊技球を第２始動入賞口１５１ａに入球させる。一方、通常時において、始動口開閉装置１５７は、始動入賞部材１５１と始動入賞ガード部材１５３とに囲まれた空間に達した遊技球を第２始動入賞口１５１ａに入球させることなく下方に通過させる。
【００２８】
大入賞装置１６０は、図７〜図８に示すように、通常大入賞口１６２ａ及び振分大入賞口１６３ａを有する大入賞部材１６１と、大入賞ガード部材１６６と、大入賞球通路部材１６７と、大入賞口開閉装置１７１とを有している。大入賞部材１６１は、樹脂材料を用いて板状に形成されるとともに表面の一部に鍍金部１６１ａが形成されている。大入賞部材１６１は、ネジ等の固定手段を用いてベース部材１０１の前面側に固定される。大入賞部材１６１の中央部には、遊技球が入球可能な通常大入賞口１６２ａ及び振分大入賞口１６３ａが上下に並んで形成される。通常大入賞口１６２ａは、横長の長方形に開口して形成され、振分大入賞口１６３ａの下方に並んで配置される。振分大入賞口１６３ａは、通常大入賞口１６２ａと同じ横長の長方形に開口して形成され、通常大入賞口１６２ａの上方に並んで配置される。
【００２９】
大入賞部材１６１の右下部に形成された装飾部１６１ｂには、球通路部材１８０に設けられた特定通過口１８５、玉確センサ１８５ｓ、及び通過口開閉部材１９２を視認可能な窓部１６５が開口して形成される。なお、大入賞部材１６１の上部には、一般入賞口１１４ａを有する一般入賞装置１１４の一つが一体的に形成されている。
【００３０】
大入賞ガード部材１６６は、大入賞部材１６１の前面側に結合され、遊技球が入球可能に通常大入賞口１６２ａ及び振分大入賞口１６３ａの前方を囲むように構成されている。なお、大入賞ガード部材１６６は透明の樹脂材料を用いて形成され、通常大入賞口１６２ａ及び振分大入賞口１６３ａを前方から視認可能に構成されている。大入賞球通路部材１６７は、大入賞部材１６１の後面側に結合され、ベース部材１０１の大入賞装置取り付け穴１０６に挿通されてベース部材１０１の後面側に達するようになっている。
【００３１】
大入賞球通路部材１６７の内部下側には、図１０（ａ）に示すように、通常大入賞口１６２ａと繋がる通常用球排出通路１６８が形成され、通常大入賞口１６２ａを通過した遊技球Ｂ１をベース部材１０１の後面側に導いて下方の通常用裏球通路１８３に排出するように構成される。通常用球排出通路１６８には、図１０（ｂ）に示すように、通常大入賞口１６２ａに入球した遊技球を検出する通常大入賞センサ１６２ｓが設けられる。大入賞球通路部材１６７の内部上側には、図１０（ａ）に示すように、振分大入賞口１６３ａと繋がる振分用球排出通路１６９が形成され、振分大入賞口１６３ａを通過した遊技球Ｂ２をベース部材１０１の後面側に導いて下方の振分用裏球通路１８４に排出するように構成される。振分用球排出通路１６９には、図１０（ｂ）に示すように、振分大入賞口１６３ａに入球した遊技球を検出する振分大入賞センサ１６３ｓが設けられる。
【００３２】
大入賞口開閉装置１７１は、図７〜図８に示すように、通常大入賞口１６２ａを開閉可能な通常用開閉扉１７２と、振分大入賞口１６３ａを開閉可能な振分用開閉扉１７３と、通常用開閉扉１７２を揺動させるための通常用開閉ソレノイド１７４と、振分用開閉扉１７３を揺動させるための振分用開閉ソレノイド１７５とを有している。通常用開閉扉１７２は、通常用開閉揺動機構１７６（図１０（ａ）を参照）を介して通常大入賞口１６２ａに揺動開閉可能に取り付けられる。通常用開閉揺動機構１７６は、不図示の付勢バネを有しており、通常用開閉扉１７２が通常大入賞口１６２ａを閉止する方向に付勢力を加えるように構成されている。振分用開閉扉１７３は、振分用開閉揺動機構１７７（図１０（ａ）を参照）を介して振分大入賞口１６３ａに揺動開閉可能に取り付けられる。振分用開閉揺動機構１７７は、不図示の付勢バネを有しており、振分用開閉扉１７３が振分大入賞口１６３ａを閉止する方向に付勢力を加えるように構成されている。
【００３３】
通常用開閉ソレノイド１７４は、通常用開閉揺動機構１７６の付勢力に抗して、通常用開閉扉１７２を前方に揺動駆動し、通常大入賞口１６２ａを開放可能に構成される。これにより、通常時においては、通常用開閉揺動機構１７６の付勢力により、通常用開閉扉１７２が通常大入賞口１６２ａを閉止し、所定の特別遊技状態が成立したときに、通常用開閉ソレノイド１７４の駆動力により、通常用開閉扉１７２が前方にほぼ９０度倒伏揺動して、通常大入賞口１６２ａが開放されるようになっている。振分用開閉ソレノイド１７５は、振分用開閉揺動機構１７７の付勢力に抗して、振分用開閉扉１７３を前方に揺動駆動し、振分大入賞口１６３ａを開放可能に構成される。これにより、通常時においては、振分用開閉揺動機構１７７の付勢力により、振分用開閉扉１７３が振分大入賞口１６３ａを閉止し、所定の特別遊技状態が成立したときに、振分用開閉ソレノイド１７５の駆動力により、振分用開閉扉１７３が前方にほぼ９０度倒伏揺動して、振分大入賞口１６３ａが開放されるようになっている。
【００３４】
球通路部材１８０は、図５及び図８に示すように、前部が開口した後側球通路部材１８１と、後側球通路部材１８１の前部開口を覆う前側球通路部材１８２とから構成される。図９〜図１０に示すように、後側球通路部材１８１と前側球通路部材１８２との間には、通常用裏球通路１８３と、振分用裏球通路１８４と、一般入賞用裏球通路１８８とが形成される。
【００３５】
通常用裏球通路１８３は、球通路部材１８０の右方中央側に上下に延びるように形成され、上流部が大入賞装置１６０の通常用球排出通路１６８と繋がるようになっている。通常用裏球通路１８３は、大入賞装置１６０の通常大入賞口１６２ａ及び通常用球排出通路１６８を通過した遊技球Ｂ１を流下させて総排出口１８７から下方に排出するように構成される。
【００３６】
振分用裏球通路１８４は、球通路部材１８０の右方端部側に上下に延びるように形成され、上流部が大入賞装置１６０の振分用球排出通路１６９と繋がるようになっている。振分用裏球通路１８４は、大入賞装置１６０の振分大入賞口１６３ａ及び振分用球排出通路１６９を通過した遊技球Ｂ２を流下させて総排出口１８７から下方に排出するように構成される。振分用裏球通路１８４には、特定通過口１８５及び排出口１８６が並列に並んで形成され、振分用裏球通路１８４を流下する遊技球が特定通過口１８５及び排出口１８６のうちいずれか一方を通過するようになっている。特定通過口１８５の下流側近傍には、特定通過口１８５を通過した遊技球を検出する玉確センサ（特定通過口センサ）１８５ｓが設けられる。排出口１８６の下流側近傍には、排出口１８６を通過した遊技球を検出する排出センサ１８６ｓが設けられる。なお、遊技球が特定通過口１８５を通過して玉確センサ１８５ｓに検出されると、特別遊技の終了後、特別遊技の当否判定における当選確率が通常時（後述の非確率変動遊技状態時）の当選確率よりも高確率である高確率抽選状態（後述の確率変動遊技状態）となるように構成されている。
【００３７】
一般入賞用裏球通路１８８は、球通路部材１８０の左側に上下に延びるように形成され、上流部が遊技領域ＰＡの右側の一般入賞装置１１４と繋がるようになっている。一般入賞用裏球通路１８８は、一般入賞装置１１４の一般入賞口１１４ａに落入した遊技球を流下させて一般入賞用排出口１８９から下方に排出するように構成される。一般入賞用裏球通路１８８には、前述の一般入賞センサ１１４ｓが設けられる。
【００３８】
後側球通路部材１８１及び前側球通路部材１８２は、透明樹脂材料を用いて形成される。後側球通路部材１８１の右側には、特定通過口１８５を開閉するための特定通過口開閉装置１９１が取り付けられる。特定通過口開閉装置１９１は、特定通過口１８５を開閉可能な通過口開閉部材１９２と、通過口開閉部材１９２を左右方向にスライド移動させる開閉部材駆動部（ソレノイド駆動部）１９３とを有している。通常時において、通過口開閉部材１９２は特定通過口１８５を閉鎖する通過口閉鎖位置（図１０（ａ）を参照）に位置しており、所定の特別遊技状態が成立したときに、開閉部材駆動部１９３により、通過口開閉部材１９２がこの通過口閉鎖位置から右方の通過口開放位置（図１０（ｂ）を参照）へスライド移動して、特定通過口１８５が開放されるようになっている。
【００３９】
なお、振分用裏球通路１８４は、通過口開閉部材１９２が特定通過口１８５を開放する状態では、振分用裏球通路１８４を流下する遊技球が排出口１８６よりも上流側の特定通過口１８５へ落入通過し、通過口開閉部材１９２が特定通過口１８５を閉鎖する状態では、振分用裏球通路１８４を流下する遊技球が通過口開閉部材１９２の上を転動して排出口１８６へ落入通過するように形成される。また、後側球通路部材１８１の左側には、不正な電波を検出する電波検出センサ１９６と、第１始動入賞装置１１５及び第２始動入賞装置１５０等の近傍で生じた不正な磁界を検出する磁気センサ１９７が取り付けられる。
【００４０】
前側球通路部材１８２の前面側には、図５及び図８に示すように所定の装飾模様が形成される。前側球通路部材１８２の右下部分には、大入賞装置１６０の窓部１６５を介して、特定通過口１８５、玉確センサ１８５ｓ、及び通過口開閉部材１９２を前方から視認可能にする透視窓１８２ａが形成されている。
【００４１】
［ぱちんこ遊技機の電気的な構成］
次に、図１１のブロック図を参照しながら、本実施形態に係るぱちんこ遊技機ＰＭの電気的な概略構成を説明する。本実施形態に係るぱちんこ遊技機ＰＭは、前述したように、遊技の進行を制御する主制御装置１０００と、主制御装置１０００からの情報（信号、コマンド等）に基づいて遊技球の払出を制御する払出制御装置３０００と、主制御装置１０００からの情報（信号、コマンド等）に基づいて、装飾図柄の変動・停止等の演出表示装置１４５上での各種演出、スピーカ９からの音響、電飾装置８の点灯、エラー報知等の実行を制御する副制御基板２０００と、これらの制御基板を含む遊技機全体に電源を供給する電源供給ユニット３５００と、を主体として構成されている。副制御基板２０００は、装飾図柄の変動・停止等の演出表示装置１４５上での各種演出、スピーカ９からの音響、電飾装置８の点灯、エラー報知を制御するサブメイン制御部２３２０と、演出表示装置１４５上での装飾図柄の変動表示・停止表示及び保留表示や予告表示等の表示処理を実行するサブサブ制御部２３１０の２つの制御部とを備えている。主制御装置１０００、払出制御装置３０００、サブメイン制御部２３２０及びサブサブ制御部２３１０には、様々な演算処理を行うＣＰＵ、ＣＰＵの演算処理を規定したプログラムを予め記憶するＲＯＭ、ＣＰＵが取り扱うデータ（遊技中に発生する各種データやＲＯＭから読み出されたコンピュータプログラム等）を一時的に記憶するＲＡＭが搭載されている。以下、各制御装置の概略構成及びこれらの電気的な接続態様について概説する。
【００４２】
主制御装置１０００は、入球センサＳ１（前述した第１始動入賞センサ１１５ｓ、第２始動入賞センサ１５１ｓ、ゲートセンサ１１８ｓ、通常大入賞センサ１６２ｓ、振分大入賞センサ１６３ｓ、玉確センサ１８５ｓ、排出センサ１８６ｓ、一般入賞センサ１１４ｓ等）、異常検出センサＳ２（電波検出センサ１９６、磁気センサ１９７等）、駆動ソレノイド（通常用開閉ソレノイド１７４、振分用開閉ソレノイド１７５等）、情報表示ＬＥＤ（図示せず）等、遊技の進行に必須となる入出力装置と電気的に接続され、各入力装置からの入力信号に基づいて遊技の進行を制御している。また、主制御装置１０００は、払出制御装置３０００と、副制御基板２０００（サブメイン制御部２３２０及びサブサブ制御部２３１０）とも電気的に接続されており、遊技進行に基づいて、賞球払出等に関する情報（コマンド）を払出制御装置３０００に、演出・遊技の進行状態等に関する情報（コマンド）を副制御基板２０００にそれぞれ送信可能に構成されている。なお、主制御装置１０００は、外部接続端子（図示せず）を介してホールコンピュータＨ等と接続可能となっており、外部接続端子を介してホールコンピュータＨと配線接続することで、主制御装置１０００から外部の装置に対して遊技関連情報を出力できるよう構成されている。
【００４３】
本実施形態では、図１１の矢印表記の通り、主制御装置１０００と払出制御装置３０００とは、双方向通信が可能となるよう構成されている一方、主制御装置１０００とサブメイン制御部２３２０とは、主制御装置１０００からサブメイン制御部２３２０への一方向通信が可能となるよう構成されている（通信方法は、シリアル通信、パラレル通信のいずれを用いてもよい）。なお、制御装置間の通信については一方向通信でも双方向通信でもよい。また、主制御装置１０００とホールコンピュータＨとは、主制御装置１０００からホールコンピュータへの一方通信が可能となるよう構成されており、遊技関連情報、排出球異常情報、不正検知コマンド等が送信される。
【００４４】
払出制御装置３０００は、遊技球の払出を実行する賞球払出ユニット３４と、遊技者によって操作可能な装置であって遊技球の貸出要求を受付け払出制御装置３０００に伝達する遊技球貸出装置Ｊとに接続されている。また、図示省略するが、本実施形態では、払出制御基板内に、発射装置の制御回路部が併設されており、払出制御基板と発射装置（発射ハンドル・発射モータ・球送り装置等）とも接続されている。尚、本実施形態では、遊技球貸出装置Ｊを別体として遊技機に隣接する形態を採用しているが、遊技機と一体としてもよく、その場合には、払出制御装置３０００により貸出制御及び電子マネー等貸出用の記録媒体の管理制御等を統括して行ってもよい。
【００４５】
副制御基板２０００は、装飾図柄等を表示する演出表示装置１４５と、スピーカ９と、電飾装置８と、その他演出用の駆動装置（図示せず）と電気的に接続されている。本実施形態では、前述の通り、副制御基板２０００内にサブメイン制御部２３２０とサブサブ制御部２３１０とを有しており、サブメイン制御部２３２０によりスピーカ９から出力させる音声の制御、電飾装置８の点灯制御並びに、演出表示装置１４５上で表示する表示内容の決定制御が行われ、サブサブ制御部２３１０により、演出表示装置１４５上の表示制御（実体的な表示制御）が行われるように構成されている。なお、本実施形態では、サブメイン制御部２３２０とサブサブ制御部２３１０とを、副制御装置２０００にて一体化されるよう構成されているが、これに限定されるわけではない（別基板として構成してもよいが、一体化するよう構成することでスペースメリットや配線等にノイズが混入してしまう事態を低減できるといったメリットが生ずる）。また、両制御部での作業分担についても、例えばサブサブ制御部２３１０により音声制御を実行させる（ＶＤＰに音声制御回路が一体化されたものを採用する場合に好適）等、適宜変更できる。また、賞球として物理的な賞球を付与せずに電子的な価値を付与してもよい。
【００４６】
［ぱちんこ遊技機の各種機能］
次に、図１２のブロック図を参照しながら、本実施形態に係るぱちんこ遊技機ＰＭの各種機能について説明する。主制御装置１０００は、遊技に係る遊技周辺機器Ｋ（第１主遊技周辺機器Ａ、第２主遊技周辺機器Ｂ、第１・第２主遊技共用周辺機器Ｃ、補助遊技周辺機器Ｄ）と、演出に係るサブメイン制御部２３２０と、主制御装置１０００からの払出指示に基づき所定数の賞球の払出制御を行う払出制御装置３０００と、異常検出センサＳ２（電波検出センサ１９６、磁気センサ１９７等）と、情報伝達可能に接続されている。また、サブメイン制御部２３２０は、画像演出を実行するサブサブ制御部２３１０と、電飾装置８と、スピーカ９とも電気的に接続されている。払出制御装置３０００は、ステッピングモータやスプロケット等を備えた賞球払出ユニット３４と電気的に接続されている。なお、主制御装置１０００、サブメイン制御部２３２０、サブサブ制御部２３１０、払出制御装置３０００等は、ハードウェア的にはデータやプログラムを格納するＲＯＭやＲＡＭ、演算処理に用いるＣＰＵ等の素子が実装された制御基板等から構成される。尚、以下で主制御装置１０００に含まれるとする各手段を周辺機器（例えば、遊技周辺機器Ｋ）に搭載される形で構成してもよい。例えば、周辺機器（例えば、遊技周辺機器Ｋ）に含まれるとする各手段を主制御装置１０００に搭載される形で構成してもよい。以下、上記各手段（装置）の詳細を説明する。
【００４７】
主制御装置１０００は、主遊技（第１主遊技、第２主遊技、特別遊技）・補助遊技・一般遊技に関する主たる制御を司る遊技制御手段１１００と、遊技周辺機器Ｋ側に各種遊技情報｛例えば、停止図柄情報、停止図柄の属性情報（例えば、１６Ｒ大当り、８Ｒ大当り、４Ｒ大当り、ハズレ）、変動態様に関する情報（例えば、変動時間）、特別遊技の開始信号・状態情報・終了信号、保留情報等｝を送信するための情報送信制御手段１３００（及び未送信コマンドを蓄積するコマンド送信用バッファ１３０１）と、各種入賞口への遊技球の入賞に基づき所定の賞球の払出を行うように払出制御装置３０００を制御する賞球払出決定手段１４００と、ぱちんこ遊技機ＰＭの異常を検知するための異常判定手段１５００と、を有している。
【００４８】
ここで、遊技制御手段１１００は、各入球口（始動口等）への遊技球の流入を判定するための入球判定手段１１１０と、各乱数の取得可否を判定し、当該判定結果に基づき当該各乱数を取得するための乱数取得判定実行手段１１２０と、変動表示中における各始動口への入球を保留球として上限個数以内で一時記憶するための保留制御手段１１３０と、第１主遊技側乱数・第２主遊技側乱数・補助遊技側乱数に基づき、特別遊技の当否及び第２始動入賞口１５１ａの始動口開閉装置１５７の開放可否を抽選する当否抽選手段１１３５と、各乱数に基づき、各図柄の停止図柄及び変動態様（変動時間等）を決定するための図柄内容決定手段１１４０と、各図柄の変動及び停止表示する制御を行うための表示制御手段１１５０と、第２始動入賞口１５１ａの始動口開閉装置１５７の開閉決定に直接関連する各種処理を行うための電動役物開閉制御手段１１６０と、通常遊技よりも遊技者に有利な特別遊技に関する制御を司る特別遊技制御手段１１７０と、第１主遊技及び第２主遊技並びに補助遊技に関し、現在の遊技状態をどの遊技状態に移行させるかの決定と、当該決定に基づき遊技状態を移行させる処理を行うための特定遊技制御手段１１８０と、現在及び過去の遊技状態［例えば、主遊技に関する状態｛通常遊技状態、特定遊技状態（確率変動遊技状態、時間短縮遊技状態）、特別遊技状態｝、補助遊技に関する状態（易開放状態、非易開放状態）、主遊技図柄や補助遊技図柄に係る停止図柄及び変動態様情報、各種フラグのオン・オフ状況、特別遊技中の遊技状態（例えばラウンド数や入賞個数情報）］等を一時記憶するための遊技状態一時記憶手段１１９０と、を有している。
【００４９】
なお、特別遊技制御手段１１７０は、特別遊技に移行するための条件を充足しているか否か、具体的には、大当りに当選している｛特別遊技（大当り）実行許可フラグが発生している｝か否かを判定する条件判定手段１１７１と、特別遊技移行条件を充足している場合、当該特別遊技の内容（具体的には、開状態となる大入賞口、ラウンド数、ラウンド間時間等）を特別遊技関連情報一時記憶手段１１９４中にセットする特別遊技内容決定手段１１７２と、通常大入賞口１６２ａ又は振分大入賞口１６３ａを所定条件で開状態にするという特別遊技（大当り）を実行するための特別遊技実行制御手段１１７３と、振分大入賞口１６３ａを所定条件で開状態にするという特別遊技（大当り）を実行するための振分大入賞口制御手段１１７４と、通常大入賞口１６２ａを所定条件で開状態にするという特別遊技（大当り）を実行するための通常大入賞口制御手段１１７５と、を有している。特別遊技内容決定手段１１７２は、特別遊技関連情報一時記憶手段１１９４にセットされるべき前記特別遊技の内容を特定する際に参照される特別遊技内容参照テーブル１１７２ａと、特別遊技実行時における振分大入賞口１６３ａ及び通常大入賞口１６２ａの開閉態様を決定するための開閉態様決定テーブル１１７２ｂと、を更に有している。特別遊技実行制御手段１１７３は、ラウンド数を計測するラウンド数カウンタ１１７３ａと、終了デモ表示の実行時間を計時するための終了デモ実行タイマ１１７３ｂと、を更に有している。
【００５０】
本実施形態において、確率変動遊技状態時における大当たり当選確率は、非確率変動遊技状態時における大当たり当選確率よりも高確率となるように構成されている。また、本実施形態においては、遊技状態を移行させ得ない当たり（いわゆる小当たり）については例示していないが、小当たりが発生（小当たりに当選）するように構成してもよい。
【００５１】
振分大入賞口制御手段１１７４は、振分大入賞口１６３ａの開閉タイミングを管理するための振分ラウンドタイマ１１７４ａと、振分入賞待機時間を計測するための振分入賞待機タイマ１１７４ｂと、ラウンド終了待機時間を計時するための振分ラウンド終了タイマ１１７４ｃと、振分大入賞口１６３ａに入球した遊技球を排出する時間を計時するための排出待機タイマ１１７４ｄと、振分大入賞センサ１６３ｓが検出した遊技球を計測する振分入賞数カウンタ１１７４ｅと、玉確センサ１８５ｓ及び排出センサ１８６ｓが検出した遊技球を計測する排出数カウンタ１１７４ｆと、通過口開閉部材１９２の変位駆動を制御するための開閉部材駆動制御手段１１７４−１と、を更に有している。開閉部材駆動制御手段１１７４−１は、特定領域入賞待機時間を計測するための特定領域入賞待機タイマ１１７４−１ａを更に有している。また、通常大入賞口制御手段１１７５は、通常大入賞口１６２ａの開閉タイミングを管理するための通常ラウンドタイマ１１７５ａと、通常入賞待機時間を計測するための通常入賞待機タイマ１１７５ｂと、ラウンド終了待機時間を計時するための通常ラウンド終了タイマ１１７５ｃと、通常入賞検出装置２１２１が検出した遊技球を計測する通常入賞数カウンタ１１７５ｄと、を更に有している。
【００５２】
また、遊技状態一時記憶手段１１９０は、第１主遊技（第１主遊技図柄の変動から停止に至るまでの遊技）における現在の遊技状態を一時記憶するための第１主遊技状態一時記憶手段１１９１と、第２主遊技（第２主遊技図柄の変動から停止に至るまでの遊技）における現在の遊技状態を一時記憶するための第２主遊技状態一時記憶手段１１９２と、補助遊技における現在の遊技状態を一時記憶するための補助遊技状態一時記憶手段１１９３と、特別遊技における現在の遊技状態（例えば、ラウンド数、任意のラウンドにおける遊技球の入賞個数、特別遊技に関する各種フラグのオン・オフ等）を一時記憶するための特別遊技関連情報一時記憶手段１１９４と、特定遊技における現在の遊技状態（例えば、時短の残り回数、特定遊技に関する各種フラグのオン・オフ等）を一時記憶するための特定遊技関連情報一時記憶手段１１９５と、振分遊技における現在の遊技状態（例えば、入賞の有無や、振分遊技に関する各種フラグのオン・オフ等）を一時記憶するための振分遊技関連情報一時記憶手段１１９７と、を有している。
【００５３】
次に、遊技周辺機器Ｋについて説明する。尚、一部の周辺機器については既に詳細構成を述べたので、残る構成について簡潔に説明する。遊技周辺機器Ｋは、第１主遊技側の周辺機器である第１主遊技周辺機器Ａと、第２主遊技側の周辺機器である第２主遊技周辺機器Ｂと、第１主遊技側と第２主遊技側の共用周辺機器である第１・第２主遊技共用周辺機器Ｃと、補助遊技に関する補助遊技周辺機器Ｄと、サブメイン制御部２３２０と、サブサブ制御部２３１０と、を有している。ここで、サブメイン制御部２３２０により制御される演出は、第１主遊技図柄及び第２主遊技図柄の変動と時間的に同期の取れた形での装飾図柄の変動を含め、遊技の結果に影響を与えない情報のみの表示に係るものである。以下、これらの周辺機器を順番に説明する。
【００５４】
第１主遊技周辺機器Ａは、特別遊技移行の契機となる第１始動入賞口１１５ａと、第１主遊技図柄の停止表示及び変動表示が可能な第１主遊技図柄表示装置２１３０と、を有している。
【００５５】
第２主遊技周辺機器Ｂは、特別遊技移行の契機となる第２始動入賞口１５１ａと、第２主遊技図柄の停止表示及び変動表示が可能な第２主遊技図柄表示装置２２３０と、を有している。
【００５６】
第１・第２主遊技共用周辺機器Ｃは、通常遊技の際には閉状態にあり、特別遊技（大当り）の所定ラウンド（例えば、奇数ラウンド）以外のラウンドの際には所定条件下で開状態となる通常大入賞口１６２ａと、通常遊技の際には閉状態にあり、特別遊技の所定ラウンドにおける、振分遊技の際には所定条件下で開状態となる振分大入賞口１６３ａと、振分大入賞口１６３ａと連動して開閉し、特定遊技（確率変動遊技）移行の契機となる特定通過口１８５と、を有している。
【００５７】
補助遊技周辺機器Ｄは、第２始動入賞口１５１ａの始動口開閉装置１５７の開放の契機となる補助遊技始動ゲート１１８と、補助遊技図柄の停止表示及び変動表示が可能な補助遊技図柄表示装置２４２０とを有している。
【００５８】
サブメイン制御部２３２０は、主制御装置１０００側からの各種情報を受信するための表示情報受信手段２３２１と、装飾図柄の変動態様や停止図柄の決定処理及び表示制御処理を司る装飾図柄表示制御手段２３２２と、装飾図柄の保留個数管理や保留表示処理を司る装図保留情報表示制御手段２３２３と、演出制御全般に係る情報を一時記憶するための演出一般情報一時記憶手段２３２４と、各種エラーの報知に関する制御処理を司るエラー制御手段２３２５と、サブサブ制御部２３１０側との情報送受信を制御する情報送受信制御手段２４００と、を有している。
【００５９】
サブサブ制御部２３１０は、演出表示装置１４５の表示領域に設けられた装飾図柄表示領域２３１１、第１保留表示部２３１２ａ、第２保留表示部２３１２ｂへ画像を表示する画像表示制御手段２３１３と、サブメイン制御部２３２０側との情報送受信を制御する副情報送受信制御手段２４５０と、を有している。ここで、画像表示制御手段２３１３は、サブメイン制御部２３２０側から受信したコマンドや各種画像表示に係る情報を一時記憶するための画像表示関連情報一時記憶手段（図示せず）を更に有している。
【００６０】
なお、第１主遊技図柄表示装置２１３０、第２主遊技図柄表示装置２２３０及び補助遊技図柄表示装置２４２０が、主制御装置１０００と情報伝達可能に接続されており、残るサブサブ制御部２３１０が、サブメイン制御部２３２０と情報伝達可能に接続されている。即ち、第１主遊技図柄表示装置２１３０、第２主遊技図柄表示装置２２３０及び補助遊技図柄表示装置２４２０は、主制御装置１０００により制御され、サブサブ制御部２３１０は、サブメイン制御部２３２０により制御されることを意味する。なお、主制御装置１０００と片方向通信（一方向通信）により制御される他の周辺機器を介して、別の周辺機器を制御するように構成してもよい。
【００６１】
［主制御装置のメインフロー］
次に、図１３に示すメインフローチャートを用いて、主制御装置１０００が行う一般的な処理の流れについて説明する。遊技機の電源投入後、図１３（ａ）の処理が実行される。即ち、遊技機の電源投入後、初期設定を行った後（不図示）、ステップＳ４００２で、主制御装置１０００は、ＲＡＭクリアボタンの入力ポートを確認し、電源供給ユニット３５００のリセットボタン（ＲＡＭクリアボタン）が操作されたか否か、即ち、遊技場の管理者等によって意図的にＲＡＭの内容をクリアさせる操作が行われたか否かを判定する。ステップＳ４００２でＹｅｓの場合、ステップＳ４００４で、主制御装置１０００は、主制御装置１０００側のＲＡＭ内容（例えば、遊技状態一時記憶手段１１９０内の情報等）を全てクリアする。次に、ステップＳ４００６で、情報送信制御手段１３００は、主制御装置１０００のＲＡＭをクリアしたことを示すラムクリア情報（コマンド）をサブメイン制御部２３２０側に送信し（当該タイミングにて送信してもよいし、当該タイミングではコマンドをセットしておき後述する制御コマンド送信処理にて送信するよう構成してもよい）、ステップＳ４０１８の処理に移行する。他方、ステップＳ４００２でＮｏの場合は、ステップＳ４００８で、主制御装置１０００は、主制御装置１０００におけるＲＡＭ領域の内容をチェックする（例えば、電断時に記録されたチェックサムとＲＡＭ領域に保存されている情報量との比較を行う）。次に、ステップＳ４０１０で、主制御装置１０００は、当該チェック結果に基づきＲＡＭの内容が正常でないか否か（正確に電断時の情報がＲＡＭにバックアップされていないか否か）を判定する。ステップＳ４０１０でＹｅｓ、即ちＲＡＭにバックアップされていたデータが異常な場合には、ステップＳ４００４の処理（前述したＲＡＭクリア処理）に移行する。他方、ステップＳ４０１０でＮｏ、即ちＲＡＭにバックアップされていたデータが正常な場合、ステップＳ４０１２で、主制御装置１０００は、各種情報コマンドをサブメイン制御部２３２０側に送信する（当該タイミングにて送信してもよいし、当該タイミングではコマンドをセットしておき後述する制御コマンド送信処理にて送信するよう構成してもよい）。次に、ステップＳ４０１３で、主制御装置１０００は、特定遊技関連情報一時記憶手段１１９５のフラグエリアを参照し、確変移行予約フラグがオンであるか否かを判定する。ステップＳ４０１３でＹｅｓの場合、ステップＳ４０１４で、主制御装置１０００は、高利益再表示コマンドをサブメイン制御部２３２０側に送信し（当該タイミングにて送信してもよいし、当該タイミングではコマンドをセットしておき後述する制御コマンド送信処理にて送信するよう構成してもよい）、ステップＳ４０１５に移行する。他方、ステップＳ４０１３でＮｏの場合にも、ステップＳ４０１５に移行する。次に、ステップＳ４０１５で、主制御装置１０００は、振分入賞数カウンタ１１７４ｅ及び排出数カウンタ１１７４ｆをリセットし、ステップＳ４０１８に移行する。尚、本処理で振分入賞数カウンタ値及び排出数カウンタ値をリセットすることによって排出球異常から回復することとなる。次に、ステップＳ４０１８で、主制御装置１０００は、同図のステップＳ１０００によって示される主制御装置１０００側のメイン処理に係る実行定時割り込み（例えば、約１．５ｍｓ毎のハードウェア割り込みを契機とするが、本例では、当該割り込み周期をＴとする）を許可し（その結果、当該実行定時割り込みタイミング到達時には、同図のステップＳ１０００が実行されることとなる）、ステップＳ４０２０の処理に移行する。尚、ステップＳ４０２０に移行後は、次の定時割り込みタイミングに到達するまで、主制御装置１０００は、各種乱数更新処理（例えば、乱数カウンタのインクリメント処理）を繰り返し実行することとなる。
【００６２】
次に、タイマ割り込み処理について説明する。主制御装置１０００は、定時割り込みタイミングに到達した場合に発生する割り込み要求に基づいて、図１３（ｂ）の処理を実行する。即ち、定時割り込み周期Ｔの到達時（例えば、約１．５ｍｓ毎のハードウェア割り込み）を契機として、ステップＳ１１００で、主制御装置１０００は、補助遊技内容決定乱数取得処理を実行する。次に、ステップＳ１２００で、主制御装置１０００は、電動役物駆動判定処理を実行する。次に、ステップＳ１３００で、主制御装置１０００は、主遊技内容決定乱数取得処理を実行する。次に、ステップＳ１４００で、主制御装置１０００は、主遊技図柄表示処理を実行する。次に、ステップＳ２０００で、主制御装置１０００は、特別遊技作動条件判定処理を実行する。次に、ステップＳ２１００で、主制御装置１０００は、後述の特別遊技制御処理を実行する。次に、ステップＳ３０００で、主制御装置１０００（特に賞球払出決定手段１４００）は、遊技球が入賞した入賞口に基づき、賞球払出制御処理（賞球払出ユニット３４の駆動制御等を払出制御装置３０００に実行させ、その結果を管理するための処理等）を実行する。次に、ステップＳ３１００で、主制御装置１０００は、後述の異常判定処理を実行する。次に、ステップＳ３２００で、主制御装置１０００は、外部信号の出力処理（外部端子板、ホールコンピュータＨ等への情報出力）を実行する（遊技関連情報、排出球異常情報、不正検知コマンド等を送信する）。次に、ステップＳ３３００で、主制御装置１０００は、制御コマンド送信処理（前述の各処理でセットされたコマンドをサブメイン制御部側に送信し、サブメイン制御部２３２０側では当該コマンドに従って演出が実行されることとなる）を実行し、本割り込み処理の実行直前に実行されていた処理に復帰する。
【００６３】
次に、ＮＭＩ割り込み処理について説明する。前述の通り、主制御装置１０００は、リセットＩＣからの電断信号がＣＰＵのＮＭＩ端子に入力されるように構成されており、遊技機における電源断時において、図１３（ｃ）の処理が実行される。即ち、遊技機の電源断時（本例では、ＮＭＩ割り込み時）において、ステップＳ４６０４で、主制御装置１０００は、ＲＡＭ領域の情報に基づき電断時情報（例えば、チェックサム）をセットする。次に、ステップＳ４６０６で、主制御装置１０００は、ＲＡＭ領域への書き込みを禁止すると共に、タイマ割り込み処理を禁止し、電源断待ちループ処理に移行する。
【００６４】
［主制御装置のサブフロー］
次に、図１４に示すフローチャートを用いて、図１３におけるステップＳ２１００のサブルーチンに係る特別遊技制御処理について説明する。まず、ステップＳ２１０２で、特別遊技実行制御手段１１７３は、特別遊技関連情報一時記憶手段１１９４のフラグエリアを参照し、条件装置作動フラグがオンであるか否かを判定する。ステップＳ２１０２でＹｅｓの場合、ステップＳ２１５０で、特別遊技実行制御手段１１７３は、特別遊技開始制御処理を実行する。次に、ステップＳ２２００で、特別遊技実行制御手段１１７３は、後述する振分大入賞口制御処理を実行する。次に、ステップＳ２６００で、特別遊技実行制御手段１１７３は、後述する通常大入賞口制御処理を実行する。次に、ステップＳ２９００で、特別遊技実行制御手段１１７３は、特別遊技終了制御処理を実行し、本サブルーチンの呼び出し元に復帰する。他方、ステップＳ２１０２でＮｏの場合、特別遊技実行制御手段１１７３は、特別遊技を実行するタイミングではないと判定し、本サブルーチンの呼び出し元に復帰する。
【００６５】
次に、図１５に示すフローチャートを用いて、図１４におけるステップＳ２２００のサブルーチンに係る振分大入賞口制御処理について説明する。まず、ステップＳ２２０２で、振分大入賞口制御手段１１７４は、ラウンド数カウンタ１１７３ａを参照し、当該カウンタ値が奇数であるか否か（当該特別遊技の終了後に確率変動遊技状態に移行するか否かを決定する振分遊技を実行する奇数ラウンドであるか否か）を判定する。ステップＳ２２０２でＹｅｓの場合、ステップＳ２２０４で、振分大入賞口制御手段１１７４は、振分遊技関連情報一時記憶手段１１９７のフラグエリアを参照し、振分制御継続中フラグがオンであるか否かを判定する。ステップＳ２２０４でＹｅｓの場合、ステップＳ２３００に移行する。他方、ステップＳ２２０４でＮｏの場合、ステップＳ２２０６で、振分大入賞口制御手段１１７４は、振分遊技関連情報一時記憶手段１１９７のフラグエリア内にある、振分制御継続中フラグをオンにする。次に、ステップＳ２２０８で、振分大入賞口制御手段１１７４は、開閉態様決定テーブル１１７２ｂ（図１６参照）を参照し、大当り図柄及びラウンド数カウンタ１１７３ａのカウンタ値に基づき、当該ラウンドにおける振分大入賞口１６３ａの開放態様をセットする。
【００６６】
ここで、図１６は、大入賞口の開放態様を決定する際に参照される、開放態様決定テーブル１１７２ｂの一例である。同図に示されるように、本実施形態における特別遊技では、振分大入賞口１６３ａと通常大入賞口１６２ａとが交互に開放されるよう構成されている。より具体的には、奇数ラウンドには振分大入賞口１６３ａが開放され、当該振分大入賞口１６３ａの開放が終了すると次ラウンド（偶数ラウンド）となり、偶数ラウンドには通常大入賞口１６２ａが開放され、当該通常大入賞口１６２ａの開放が終了すると次ラウンド（奇数ラウンド）になるという推移を最終ラウンドが終了するまで継続する。尚、本実施形態では、すべての大当り図柄に係る特別遊技が１６ラウンドの特別遊技であるが、各ラウンドの開放態様（ほとんど出玉を獲得できない短開放並びに出玉を獲得し易い長開放Ａ及び長開放Ｂ）の組み合わせと、振分用裏球通路１８４に設けられた特定通過口１８５への入球によって特別遊技終了後に確率変動遊技状態に移行することが決定する振分大入賞口１６３ａの開放時における特定通過口１８５への入球し易さ（奇数ラウンドでの振分大入賞口１６３ａの開放態様）の組み合わせと、によって、大当り図柄ごとの遊技者への利益を異ならせている。例えば、大当り図柄４Ａに係る特別遊技では、第２Ｒ・第４Ｒ・第６Ｒ・第８Ｒのみが長開放であるため、４ラウンド分の出玉を獲得でき（いわゆる、実質４ラウンド）、当該特別遊技終了後に確率変動遊技状態に移行しない（又は、移行し難い）。一方で、大当り図柄７Ａ、７Ｂに係る特別遊技では、すべてのラウンドが長開放であるため、１６ラウンド分の出玉を獲得でき、当該特別遊技終了後に確率変動遊技状態に移行する（又は、移行し易い）。
【００６７】
また、振分大入賞口１６３ａと通常大入賞口１６２ａとが交互に開放されるよう構成することで、一方の大入賞口閉鎖後に係る入賞待機時間の経過中に、次ラウンドに係る他方の大入賞口の開放を開始できることとなる。その結果、いずれの大入賞口も閉鎖されている期間が短くなることで、遊技者の打ち出した遊技球がいずれの大入賞口にも入球しないこと（いわゆる、ムダ球）を減少させることができると共に、特別遊技の消化に係る時間をも減少させることができることとなるのである。
【００６８】
なお、図１６の開閉タイミング対比イメージに示されるように、本例では、長開放Ａ：５２ｍｓの開放＋２６００ｍｓの閉鎖＋２８８００ｍｓの開放、長開放Ｂ：２９０００ｍｓの開放、短開放：５２ｍｓの開放という開放パターンで振分大入賞口１６３ａが開放され得るよう構成されている。特に、長開放Ａと短開放とでは、最初の５２ｍｓは開放の仕方が略同一である（同図下に図示された、各開放態様の開閉タイミング対比イメージを参照）。
【００６９】
フローチャートの説明に戻ると、次に、ステップＳ２２１０で、振分大入賞口制御手段１１７４は、振分遊技関連情報一時記憶手段１１９７のフラグエリア内にある、開閉部材駆動制御中フラグをオンにする。次に、ステップＳ２２１２で、振分大入賞口制御手段１１７４は、振分入賞数カウンタ１１７４ｅのカウンタ値及び排出数カウンタ１１７４ｆのカウンタ値をリセット（ゼロクリア）する。次に、ステップＳ２２１４で、振分大入賞口制御手段１１７４は、振分ラウンドタイマ１１７４ａをスタートさせ、ステップＳ２３００に移行する。ステップＳ２２０２〜ステップＳ２２１４までが初期処理段階であり、特別遊技における振分大入賞口１６３ａの開閉に係るラウンド実行時の初期処理を本処理にて行っている。
【００７０】
次に、ステップＳ２３００で、振分大入賞口制御手段１１７４は、振分大入賞口開閉制御処理を実行し、ステップＳ２３５０に移行する。次に、ステップＳ２３５０で、振分大入賞口制御手段１１７４は、振分準備時間制御処理を実行する。次に、ステップＳ２４００で、振分大入賞口制御手段１１７４は、振分入賞制御処理を実行する。次に、ステップＳ２４５０で、振分大入賞口制御手段１１７４は、排出球異常検出処理を実行する。次に、ステップＳ２５００で、振分大入賞口制御手段１１７４は、開閉部材駆動制御処理を実行する。次に、ステップＳ２５５０で、振分大入賞口制御手段１１７４は、振分ラウンド制御終了処理を実行し、本サブルーチンの呼び出し元に復帰する。尚、ステップＳ２２０２でＮｏの場合、ステップＳ２３５０に移行する。
【００７１】
次に、図１７に示すフローチャートを用いて、図１５におけるステップＳ２３００のサブルーチンに係る振分大入賞口開閉制御処理について説明する。まず、ステップＳ２３０２で、振分大入賞口制御手段１１７４は、振分遊技関連情報一時記憶手段１１９７のフラグエリアを参照し、振分大入賞口開放終了フラグがオフであるか否かを判定する。ステップＳ２３０２でＹｅｓの場合、ステップＳ２３０４で、振分大入賞口制御手段１１７４は、振分遊技関連情報一時記憶手段１１９７のフラグエリアを参照し、振分大入賞口開放制御中フラグがオンであるか否かを判定する。ステップＳ２３０４でＹｅｓの場合、ステップＳ２３１０に移行する。他方、ステップＳ２３０４でＮｏの場合、ステップＳ２３０６で、振分大入賞口制御手段１１７４は、振分遊技関連情報一時記憶手段１１９７のフラグエリア内にある、振分大入賞口開放制御中フラグをオンにする。次に、ステップＳ２３０８で、振分大入賞口制御手段１１７４は、セットされた開放態様に基づき、振分大入賞口１６３ａの開閉を開始し、ステップＳ２３１０に移行する。
【００７２】
次に、ステップＳ２３１０で、振分大入賞口制御手段１１７４は、振分入賞数カウンタ１１７４ｅを参照し、当該カウンタ値が所定個数（例えば、１０個）に到達したか否かを判定する。ステップＳ２３１０でＹｅｓの場合、ステップＳ２３１４に移行する。他方、ステップＳ２３１０でＮｏの場合、ステップＳ２３１２で、振分大入賞口制御手段１１７４は、振分ラウンドタイマ１１７４ａのタイマ値を参照し、振分大入賞口２２２０の開放期間が終了したか否かを判定する。ステップＳ２３１２でＹｅｓの場合、ステップＳ２３１４に移行する。ここで、振分大入賞口１６３ａの開放期間とは、本例においては、開放態様が「短開放」である場合は５２ｍｓ、「長開放Ａ」である場合は３１４５２ｍｓ、「長開放Ｂ」である場合は２９０００ｍｓとなっている。
【００７３】
次に、ステップＳ２３１４で、振分大入賞口制御手段１１７４は、振分大入賞口１６３ａの最長開放制御（Ｓ２４００の処理）を強制終了して閉鎖する。即ち、振分大入賞口１６３ａに所定個数の入賞が検出された場合か、又はセットされた開放パターンが終了した場合に、振分大入賞口１６３ａの開閉を終了して閉鎖するのである。次に、ステップＳ２３１６で、振分大入賞口制御手段１１７４は、振分遊技関連情報一時記憶手段１１９７のフラグエリア内にある、振分大入賞口開放制御中フラグをオフにする。次に、ステップＳ２３１８で、振分大入賞口制御手段１１７４は、振分遊技関連情報一時記憶手段１１９７のフラグエリア内にある、振分大入賞口開放終了フラグをオンにし、本サブルーチンの呼び出し元に復帰する。尚、ステップＳ２３０２又はステップＳ２３１２でＮｏの場合にも、本サブルーチンの呼び出し元に復帰する。
【００７４】
次に、図１８示すフローチャートを用いて、図１４におけるステップＳ２６００のサブルーチンに係る通常大入賞口制御処理について説明する。まず、ステップＳ２６０２で、通常大入賞口制御手段１１７５は、ラウンド数カウンタ１１７３ａを参照し、当該カウンタ値が偶数であるか否かを判定する。ステップＳ２６０２でＹｅｓの場合、ステップＳ２６０４で、通常大入賞口制御手段１１７５は、特別遊技関連情報一時記憶手段１１９４のフラグエリアを参照し、通常制御継続中フラグがオンであるか否かを判定する。ステップＳ２６０４でＹｅｓの場合には、ステップＳ２６５０に移行する。他方、ステップＳ２６０４でＮｏの場合には、ステップＳ２６０６で、通常大入賞口制御手段１１７５は、特別遊技関連情報一時記憶手段１１９４のフラグエリア内にある、通常制御継続中フラグをオンにする。次に、ステップＳ２６０８で、通常大入賞口制御手段１１７５は、大当り図柄及びラウンド数カウンタ値に基づき、開放態様決定テーブル１１７２ｂ（図１６参照）を参照し、通常大入賞口１６２ａの開放態様をセットする。尚、本実施形態においては、通常大入賞口１６２ａの選択し得る開放態様は長開放Ｂと短開放の２種類のみであるが、これには限定されず、どのような開放時間や開放パターンを選択しても何ら問題ない。
【００７５】
次に、ステップＳ２６１０で、通常大入賞口制御手段１１７５は、通常入賞数カウンタ１１７５ｄのカウンタ値をリセット（ゼロクリア）する。次に、ステップＳ２６１２で、通常大入賞口制御手段１１７５は、通常ラウンドタイマ１１７５ａをスタートさせ、ステップＳ２６５０に移行する。ステップＳ２６０２〜ステップＳ２６１２までが初期処理段階であり、特別遊技における通常大入賞口１６２ａの開閉に係るラウンド実行時の初期処理を本処理にて行っている。
【００７６】
次に、ステップＳ２６５０で、通常大入賞口制御手段１１７５は、通常大入賞口開閉制御処理を実行し、ステップＳ２７００に移行する。尚、ステップＳ２６０２でＮｏの場合にも、ステップＳ２７００に移行する。次に、ステップＳ２７００で、通常大入賞口制御手段１１７５は、通常準備時間制御処理を実行する。次に、ステップＳ２７５０で、通常大入賞口制御手段１１７５は、通常入賞制御処理を実行する。次に、ステップＳ２８００で、通常大入賞口制御手段１１７５は、通常ラウンド制御終了処理を実行し、本サブルーチンの呼び出し元に復帰する。
【００７７】
次に、図１９示すフローチャートを用いて、図１８におけるステップＳ２６５０のサブルーチンに係る通常大入賞口開閉制御処理について説明する。まず、ステップＳ２６５２で、通常大入賞口制御手段１１７５は、特別遊技関連情報一時記憶手段１１９４のフラグエリアを参照し、通常大入賞口開放終了フラグがオフであるか否かを判定する。ステップＳ２６５２でＹｅｓの場合、ステップＳ２６５４で、通常大入賞口制御手段１１７５は、特別遊技関連情報一時記憶手段１１９４のフラグエリアを参照し、通常大入賞口開放制御中フラグがオンであるか否かを判定する。ステップＳ２６５４でＹｅｓの場合、ステップＳ２６６０に移行する。他方、ステップＳ２６５４でＮｏの場合には、ステップＳ２６５６で、通常大入賞口制御手段１１７５は、特別遊技関連情報一時記憶手段１１９４のフラグエリア内にある、通常大入賞口開放制御中フラグをオンにする。次に、ステップＳ２６５８で、通常大入賞口制御手段１１７５は、セットされている開放態様に基づき、通常大入賞口１６２ａの開閉を開始し、ステップＳ２６６０に移行する。
【００７８】
次に、ステップＳ２６６０で、通常大入賞口制御手段１１７５は、通常入賞数カウンタ１１７５ｄを参照し、実行中のラウンドにおいて通常大入賞口１６２ａに所定個数（例えば、１０個）の遊技球の入賞があったか否かを判定する。ステップＳ２６６０でＹｅｓの場合、ステップＳ２６６４に移行する。他方、ステップＳ２６６０でＮｏの場合、ステップＳ２６６２で、通常大入賞口制御手段１１７５は、通常ラウンドタイマ１１７５ａを参照し、通常大入賞口２１２０の開放期間が終了したか否かを判定し、当該ステップでＹｅｓの場合には、ステップＳ２６６４に移行する。尚、本実施形態においては、通常大入賞口２１２０の開放時間は開閉態様が長開放Ｂの場合には２９０００ｍｓ、短開放の場合には５２ｍｓとなっているが、変更しても何ら問題ない。
【００７９】
次に、ステップＳ２６６４で、通常大入賞口制御手段１１７５は、通常大入賞口１６２ａを閉鎖する。次に、ステップＳ２６６６で、通常大入賞口制御手段１１７５は、特別遊技関連情報一時記憶手段１１９４のフラグエリア内にある、通常大入賞口開放制御中フラグをオフにする。次に、ステップＳ２６６８で、通常大入賞口制御手段１１７５は、特別遊技関連情報一時記憶手段１１９４のフラグエリア内にある、通常大入賞口開放終了フラグをオンにし、本サブルーチンの呼び出し元に復帰する。尚、ステップＳ２６５２又はステップＳ２６６２でＮｏの場合にも、本サブルーチンの呼び出し元に復帰する。
【００８０】
次に、図２０示すフローチャートを用いて、図１３におけるステップＳ３１００のサブルーチンに係る異常判定処理について説明する。まず、ステップＳ３１０１で、異常判定手段１５００は、電波異常判定処理を実行する。電波異常判定処理において、異常判定手段１５００は、電波検出センサ１９６から送信される電波検出信号を受信し、受信した電波検出信号に基づいて、電波検出センサ１９６で不正な電波が検出されたか否かを判定する。例えば、電波検出センサ１９６から電波検出信号としてロー信号が送信された場合には、不正な電波が検出されていないとして正常と判定され、電波検出信号としてハイ信号が送信された場合には、不正な電波が検出されたとして電波異常と判定される。
【００８１】
次に、ステップＳ３１０２で、異常判定手段１５００は、通常用開閉ソレノイド１７４及び振分用開閉ソレノイド１７５が（両方とも）オフ作動するタイミングか否かを判定する。ステップＳ３１０２でＹｅｓの場合、ステップＳ３１０３で、異常判定手段１５００は、磁気異常判定処理を実行し、本サブルーチンの呼び出し元に復帰する。他方、ステップＳ３１０２でＮｏの場合、異常判定手段１５００は、磁気異常判定処理を実行せずに本サブルーチンの呼び出し元に復帰する。磁気異常判定処理において、異常判定手段１５００は、磁気センサ１９７から送信される磁気検出信号を受信し、受信した磁気検出信号に基づいて、磁気センサ１９７で不正な磁界が検出されたか否かを判定する。例えば、磁気センサ１９７から磁気検出信号としてロー信号が送信された場合には、不正な磁界が検出されていないとして正常と判定され、磁気検出信号としてハイ信号が送信された場合には、不正な磁界が検出されたとして磁気異常と判定される。なお、電波異常判定処理において電波異常と判定された場合、又は、磁気異常判定処理において磁気異常と判定された場合、例えば、外部信号の出力処理（ステップＳ３２００）で、主制御装置１０００は、外部端子板、ホールコンピュータＨ等へ不正検知コマンドを送信する。
【００８２】
ここで、図２１示すタイミングチャートを用いて、通常用開閉ソレノイド１７４及び振分用開閉ソレノイド１７５のオン・オフ作動のタイミングについて説明する。前述したように、通常用開閉ソレノイド１７４は、通常用開閉揺動機構１７６の付勢力に抗して、通常用開閉扉１７２を前方に揺動駆動し、通常大入賞口１６２ａを開放可能に構成される。すなわち、通常用開閉ソレノイド１７４がオン作動したときに通常大入賞口１６２ａが開放され、通常用開閉ソレノイド１７４がオフ作動したときに通常大入賞口１６２ａが閉止されるようになっている。また、振分用開閉ソレノイド１７５は、振分用開閉揺動機構１７７の付勢力に抗して、振分用開閉扉１７３を前方に揺動駆動し、振分大入賞口１６３ａを開放可能に構成される。すなわち、振分用開閉ソレノイド１７５がオン作動したときに振分大入賞口１６３ａが開放され、振分用開閉ソレノイド１７５がオフ作動したときに振分大入賞口１６３ａが閉止されるようになっている。
【００８３】
図２１に示すように、通常時においては、通常用開閉ソレノイド１７４及び振分用開閉ソレノイド１７５が両方ともオフ作動して通常大入賞口１６２ａ及び振分大入賞口１６３ａが閉止されるため、異常判定処理のステップＳ３１０２でＹｅｓの場合となり、ステップＳ３１０３で、異常判定手段１５００は、磁気センサ１９７から送信される磁気検出信号を受信して磁気異常判定処理を実行する。他方、所定の特別遊技状態が成立し、通常用開閉ソレノイド１７４又は振分用開閉ソレノイド１７５がオン作動して通常大入賞口１６２ａ又は振分大入賞口１６３ａが開放された場合、異常判定処理のステップＳ３１０２でＮоの場合となり、異常判定手段１５００は、磁気センサ１９７から送信される磁気検出信号を受信せず磁気異常判定処理を実行しない。
【００８４】
本実施形態では、特別遊技状態における長開放Ａ（２８８００ｍｓ開放）と長開放Ｂ（２９０００ｍｓ開放）の場合、通常用開閉ソレノイド１７４は、９９０ｍｓオン作動する毎に、１０ｍｓの間だけ一時的にオフ作動するように通常大入賞口制御手段１１７５によって制御される。同様に、振分用開閉ソレノイド１７５は、９９０ｍｓオン作動する毎に、１０ｍｓの間だけ一時的にオフ作動するように振分大入賞口制御手段１１７４によって制御される。なお、この１０ｍｓの時間は、通常用開閉ソレノイド１７４又は振分用開閉ソレノイド１７５がオフ作動しても、通常用開閉扉１７２又は振分用開閉扉１７３が付勢力を受けて揺動を開始する程度の時間、すなわち、通常用開閉扉１７２及び振分用開閉扉１７３の開放駆動に影響を及ぼさない程度の時間である。そして、通常用開閉ソレノイド１７４及び振分用開閉ソレノイド１７５のオン・オフが切り替わる近傍の時間を除いた、１０ｍｓよりも少し短い８ｍｓの時間が、通常用開閉ソレノイド１７４及び振分用開閉ソレノイド１７５の瞬停時間として、異常判定手段１５００が磁気検出信号を受信して磁気異常判定処理を実行可能な時間に設定される。この瞬停時間のときには、通常大入賞口１６２ａ又は振分大入賞口１６３ａが開放されていても、通常用開閉ソレノイド１７４及び振分用開閉ソレノイド１７５が両方とも一時的にオフ作動しているため、異常判定処理のステップＳ３１０２でＹｅｓの場合となり、ステップＳ３１０３で、異常判定手段１５００は、磁気センサ１９７から送信される磁気検出信号を受信して磁気異常判定処理を実行する。なお、割り込み周期Ｔが、瞬停時間よりも十分に短い時間（例えば、約１．５ｍｓ）に設定されるため、通常用開閉ソレノイド１７４及び振分用開閉ソレノイド１７５が両方とも一時的にオフ作動している間に、少なくとも１回は磁気異常判定処理が実行される。
【００８５】
このように、異常判定手段１５００は、通常用開閉ソレノイド１７４及び振分用開閉ソレノイド１７５がオフ作動しているときに、磁気センサ１９７から送信される磁気検出信号を受信して磁気異常判定処理を実行するため、通常用開閉ソレノイド１７４及び振分用開閉ソレノイド１７５のオン作動時に生じる磁界の影響を受けることがなく、磁気センサ１７９の誤検出をより確実に防止することができる。また、通常大入賞口１６２ａ又は振分大入賞口１６３ａが開放されていても、通常用開閉ソレノイド１７４及び振分用開閉ソレノイド１７５のオン作動時に生じる磁界の影響を受けずに、磁気異常判定処理を長時間中断することなく継続的に実行することができる。
【００８６】
［作用］
次に、図２２〜図２４を参照しながら、本実施形態における作用について説明する。
【００８７】
［長開放Ａの場合］
本例では、長開放Ａの単位遊技を含む「ある特別遊技」における「ある複数ラウンド」に着目して説明する。具体的には、ある特別遊技（本例では３Ａ図柄に係る特別遊技）の第７ラウンドから第９ラウンドを例に説明する。ここで、本例の場合、当該特別遊技の第７ラウンドでは、振分大入賞口１６３ａは、「５２ｍｓ開放・２６００ｍｓ閉鎖・２８８００ｍｓ開放・閉鎖」の順に動作し（長開放）、通過口開閉部材１９２は、「５２ｍｓ開放・２６００ｍｓ閉鎖・３１４００ｍｓ開放・２０００ｍｓ閉鎖・５２ｍｓ開放・閉鎖（※振分入賞口の閉鎖後２６００ｍｓ経過後に排出エラーが検知されなかった場合には動作を中断し閉鎖する）」の順に動作する。
【００８８】
図２２は、振分大入賞口１６３ａの開放態様が長開放Ａの場合にて、排出球異常が非検出であった場合の動作内容について示したタイミングチャートである。はじめに、図中１のタイミング（特別遊技の第７ラウンドの開始タイミング）において、第７ラウンドが奇数ラウンドであることから振分大入賞口１６３ａ及び振分大入賞口１６３ａと繋がる振分用裏球通路１８４内の特定通過口１８５（通過口開閉部材１９２）の開放（５２ｍｓの開放）が実行される。加えて、当該タイミングにて、振分大入賞口１６３ａと特定通過口１８５との有効期間及び排出球の検出期間が開始される。
【００８９】
次に、図中２のタイミングにおいて、振分大入賞口１６３ａ及び特定通過口１８５（通過口開閉部材１９２）の開放から５２ｍｓが経過したことを契機として、振分大入賞口１６３ａ及び特定通過口１８５を閉鎖（２６００ｍｓの閉鎖）する。
【００９０】
次に、図中３のタイミングにおいて、振分大入賞口１６３ａ及び特定通過口１８５（通過口開閉部材１９２）の閉鎖から２６００ｍｓが経過したことを契機として、振分大入賞口１６３ａ及び特定通過口１８５を開放（振分大入賞口１６３ａは２８８００ｍｓの開放、特定通過口１８５は３１４００ｍｓの開放）する。
【００９１】
次に、図中４のタイミングにおいて、振分大入賞口１６３ａの開放から２８８００ｍｓが経過したことを契機として、振分大入賞口１６３ａを閉鎖する。尚、本タイミングから振分大入賞口１６３ａと通常大入賞口１６２ａとの同時閉鎖時間が開始することとなる。
【００９２】
次に、図中５のタイミングにおいて、振分大入賞口１６３ａの閉鎖からラウンド終了待機時間（閉鎖中時間と準備中時間を合わせた時間）である２００ｍｓが経過したことを契機として第８ラウンドが開始されると共に、第８ラウンドが偶数ラウンドであることから通常大入賞口１６２ａが開放（２９０００ｍｓの開放）することとなる。尚、各ラウンドの期間は、開放中、閉鎖中、準備中、の順に構成されている。尚、図中４のタイミングから本タイミングまでの期間（２００ｍｓ）が振分大入賞口１６３ａと通常大入賞口１６２ａとの同時閉鎖時間となる。
【００９３】
次に、図中６のタイミングにおいて、振分大入賞口１６３ａの閉鎖から１９００ｍｓ経過したことを契機として、振分大入賞口１６３ａの有効期間が終了する。尚、図中４のタイミングから本タイミングまでの期間（１９００ｍｓ）が大入賞口閉鎖時からの遊技球の検出猶予時間となる。
【００９４】
次に、図中７のタイミングにおいて、振分大入賞口１６３ａの閉鎖から２６００ｍｓ経過したことを契機として、特定通過口１８５の有効期間が終了する。また、本タイミングにおいて、排出球の異常が検出されなかったため通過口開閉部材１９２の駆動は強制終了し、排出球検出期間も終了することとなる。尚、図中６のタイミングから本タイミングまでの期間（７００ｍｓ）が遊技球の検出時間終了から排出時間終了までの時間となる。
【００９５】
次に、図中８のタイミングにおいて、通常大入賞口１６２ａの開放から２９０００ｍｓ経過したことを契機として通常大入賞口１６２ａが閉鎖することとなる。
【００９６】
次に、図中９のタイミングにおいて、通常大入賞口１６２ａの閉鎖からラウンド終了待機時間（閉鎖中時間と準備中時間を合わせた時間）である２００ｍｓが経過したことを契機として第８ラウンドが終了し、第９ラウンドが開始されると共に、第９ラウンドが奇数ラウンドであることから振分大入賞口１６３ａが開放（５２ｍｓの開放）することとなる。また、第９ラウンドが開始されたことを契機として特定通過口１８５（通過口開閉部材１９２）が開放（５２ｍｓの開放）すると共に、振分大入賞口１６３ａと特定通過口１８５との有効期間及び排出球の検出期間が開始される。
【００９７】
振分大入賞口１６３ａの開放態様が長開放Ａの場合において、５２ｍｓ開放の際、振分用開閉ソレノイド１７５が短時間だけオン作動するため、磁気異常判定処理は実行されない。２６００ｍｓ閉鎖の際、振分用開閉ソレノイド１７５（及び通常用開閉ソレノイド１７４）がオフ作動するため、磁気異常判定処理は実行される。２８８００ｍｓ開放の際、振分用開閉ソレノイド１７５がオン作動するとき、磁気異常判定処理は実行されず、振分用開閉ソレノイド１７５が一時的にオフ作動するとき、磁気異常判定処理は実行される。なお、振分大入賞口１６３ａと通常大入賞口１６２ａとの同時閉鎖時間（２００ｍｓ）の間、振分用開閉ソレノイド１７５及び通常用開閉ソレノイド１７４がオフ作動するため、磁気異常判定処理は実行される。また、通常大入賞口１６２ａの開放態様において、２９０００ｍｓ開放の際、通常用開閉ソレノイド１７４がオン作動するとき、磁気異常判定処理は実行されず、通常用開閉ソレノイド１７４が一時的にオフ作動するとき、磁気異常判定処理は実行される。
【００９８】
［長開放Ｂの場合］
本例では、長開放Ｂの単位遊技を含む「ある特別遊技」における「ある複数ラウンド」に着目して説明する。具体的には、ある特別遊技（本例では７Ａ図柄に係る特別遊技）の第９ラウンドから第１０ラウンドを例に説明する。ここで、本例の場合、当該特別遊技の第９ラウンドでは、振分大入賞口１６３ａは、「２９０００ｍｓ開放・閉鎖」の順に動作し（長開放Ｂ）、特定通過口１８５（通過口開閉部材１９２）は、「５２ｍｓ開放・２６００ｍｓ閉鎖・３１４００ｍｓ開放・２０００ｍｓ閉鎖・５２ｍｓ開放・閉鎖（※振分入賞口の閉鎖後２６００ｍｓ経過後に排出エラーが検知されなかった場合には動作を中断し閉鎖する）」の順に動作する。以下、長開放Ａの場合と略同一の処理については説明を割愛し、相違点について説明する。
【００９９】
図２３は、振分大入賞口１６３ａの開放態様が長開放Ｂの場合にて、排出球異常が非検出であった場合の動作内容について示したタイミングチャートである。長開放Ｂの単位遊技では、長開放Ａの単位遊技時と比較して、振分大入賞口１６３ａを一旦閉鎖する動作が無いため、振分大入賞口１６３ａの動作終了までの時間が短い（長開放Ａ：３１４５２ｍｓ、長開放Ｂ：２９０００ｍｓ）。そのため、振分大入賞口１６３ａが最長まで開放された場合、図中４における振分大入賞口１６３ａの開放終了から２６００ｍｓ経過時に排出球異常を確認する図中７のタイミングが、通過口開閉部材１９２の駆動に係る所定期間Ｃの途中で訪れることとなり、排出球異常が検出されなかった場合には、通過口開閉部材１９２の駆動を強制終了させることとなる。
【０１００】
振分大入賞口１６３ａの開放態様が長開放Ｂの場合において、２９０００ｍｓ開放の際、振分用開閉ソレノイド１７５がオン作動するとき、磁気異常判定処理は実行されず、振分用開閉ソレノイド１７５が一時的にオフ作動するとき、磁気異常判定処理は実行される。なお、振分大入賞口１６３ａと通常大入賞口１６２ａとの同時閉鎖時間（２００ｍｓ）の間、振分用開閉ソレノイド１７５及び通常用開閉ソレノイド１７４がオフ作動するため、磁気異常判定処理は実行される。また、通常大入賞口１６２ａの開放態様において、２９０００ｍｓ開放の際、通常用開閉ソレノイド１７４がオン作動するとき、磁気異常判定処理は実行されず、通常用開閉ソレノイド１７４が一時的にオフ作動するとき、磁気異常判定処理は実行される。
【０１０１】
［短開放の場合］
本例では、短開放の単位遊技を含む「ある特別遊技」における「ある複数ラウンド」に着目して説明する。具体的には、ある特別遊技（本例では４Ａ図柄に係る特別遊技）の第７ラウンドから第８ラウンドを例に説明する。ここで、本例の場合、当該特別遊技の第７ラウンドでは、振分大入賞口１６３ａは、「５２ｍｓ開放・閉鎖」の順に動作し（短開放）、特定通過口１８５（通過口開閉部材１９２）は、「５２ｍｓ開放・２６００ｍｓ閉鎖・３１４００ｍｓ開放・２０００ｍｓ閉鎖・５２ｍｓ開放・閉鎖（※振分入賞口の閉鎖後２６００ｍｓ経過後に排出エラーが検知されなかった場合には動作を中断し閉鎖する）」の順に動作する。以下、長開放Ａ、長開放Ｂの場合と略同一の処理については説明を割愛し、相違点について説明する。
【０１０２】
図２４は、振分大入賞口１６３ａの開放態様が短開放の場合にて、排出球異常が非検出であった場合の動作内容について示したタイミングチャートである。短開放の単位遊技においては、図中２のタイミングで振分大入賞口１６３ａの開放動作が終了し、その２６００ｍｓ後である図中５のタイミングにおいて排出球異常を確認することとなる。ここで、排出球異常が検出されなかった場合、通過口開閉部材１９２の駆動は所定期間Ｂの終了と同時に終了し、以降の所定期間Ｃ・Ｄ・Ｅに係る駆動は実行されない。
【０１０３】
振分大入賞口１６３ａの開放態様が短開放の場合において、５２ｍｓ開放の際、振分用開閉ソレノイド１７５が短時間だけオン作動するため、磁気異常判定処理は実行されない。なお、振分大入賞口１６３ａと通常大入賞口１６２ａとの同時閉鎖時間（２００ｍｓ）の間、振分用開閉ソレノイド１７５及び通常用開閉ソレノイド１７４がオフ作動するため、磁気異常判定処理は実行される。また、通常大入賞口１６２ａの開放態様において、２９０００ｍｓ開放の際、通常用開閉ソレノイド１７４がオン作動するとき、磁気異常判定処理は実行されず、通常用開閉ソレノイド１７４が一時的にオフ作動するとき、磁気異常判定処理は実行される。
【０１０４】
［本実施形態における特徴構成］
本実施形態において、通常大入賞口制御手段１１７５及び振分大入賞口制御手段１１７４（電磁駆動装置制御手段）は、所定の駆動時間（２８８００ｍｓ開放又は２９０００ｍｓ開放）に亘り電磁駆動装置である通常用開閉ソレノイド１７４及び振分用開閉ソレノイド１７５（の一方）をオン作動させる制御を行う際、駆動時間のうち通常用開閉扉１７２及び振分用開閉扉１７３（可動部材）の駆動に影響を及ぼさない程度の瞬停時間に亘り、通常用開閉ソレノイド１７４及び振分用開閉ソレノイド１７５を一時的にオフ作動させる制御を行う。そして、異常判定手段１５００は、通常大入賞口制御手段１１７５及び振分大入賞口制御手段１１７４が通常用開閉ソレノイド１７４及び振分用開閉ソレノイド１７５をオフ作動させる制御を行う停止時間のときと、上述の駆動時間における瞬停時間のときに、磁気センサ１７９から送信される磁気検出信号を受信して異常の有無を判定する。
【０１０５】
これにより、通常用開閉ソレノイド１７４及び振分用開閉ソレノイド１７５のオン作動時に生じる磁界の影響を受けることがなく、磁気センサ１７９の誤検出をより確実に防止することができる。また、通常用開閉ソレノイド１７４及び振分用開閉ソレノイド１７５から離れた位置に磁気センサ１９７を設ける必要がないため、磁石を用いた不正行為が行われやすい第１始動入賞装置１１５及び第２始動入賞装置１５０の後側近傍に磁気センサ１９７を設けることが可能となり、不正な磁界を効果的に検出することができる。
【０１０６】
なお、通常用開閉ソレノイド１７４は、通常用開閉揺動機構１７６（付勢部材）の付勢力に抗して、通常用開閉扉１７２を前方に揺動駆動し、通常大入賞口１６２ａを開放可能に構成される。また、振分用開閉ソレノイド１７５は、振分用開閉揺動機構１７７（付勢部材）の付勢力に抗して、振分用開閉扉１７３を前方に揺動駆動し、振分大入賞口１６３ａを開放可能に構成される。このような場合、通常大入賞口１６２ａ又は振分大入賞口１６３ａが開放されていても、通常用開閉ソレノイド１７４及び振分用開閉ソレノイド１７５のオン作動時に生じる磁界の影響を受けずに、磁気異常判定処理を長時間中断することなく継続的に実行することができる。
【０１０７】
上述の実施形態において、図１０（ａ）の二点鎖線で示すように、大入賞装置１６０の通常用開閉揺動機構１７６に、通常用開閉扉１７２を揺動自在に支持する通常用ダンパーヒンジ１７６ａを設け、通常用開閉扉１７２が付勢力を受けて閉止揺動するのを開放揺動するときよりも遅くなるようにしてもよい。また、大入賞装置１６０の振分用開閉揺動機構１７７に、振分用開閉扉１７３を揺動自在に支持する振分用ダンパーヒンジ１７７ａを設け、振分用開閉扉１７３が付勢力を受けて閉止揺動するのを開放揺動するときよりも遅くなるようにしてもよい。このようにすれば、通常用開閉ソレノイド１７４及び振分用開閉ソレノイド１７５がオン作動からオフ作動に切り替わるときに、通常用開閉扉１７２及び振分用開閉扉１７３がゆっくりと閉止しようとするため、通常用開閉ソレノイド１７４及び振分用開閉ソレノイド１７５の瞬停時間を長くすることが可能になり、異常判定手段１５００が磁気検出信号を受信して磁気異常判定処理を実行可能な時間を長くすることができる。
【０１０８】
上述の実施形態において、遊技盤１００における第１始動入賞装置１１５及び第２始動入賞装置１５０の後側近傍に磁気センサ１９７が設けられているが、これに限られるものではなく、例えば、一般入賞装置１１４の後側近傍に磁気センサが設けられてもよく、センター飾り１１２に形成されたワープ通路（図示せず）の後側近傍に磁気センサが設けられてもよい。
【０１０９】
上述の実施形態において、大入賞装置１６０は、通常大入賞口１６２ａ及び振分大入賞口１６３ａを有して構成されているが、これに限られるものではなく、大入賞口、開閉扉、及び開閉ソレノイドをそれぞれ１つだけ有して構成されていてもよい。すなわち、所定の駆動時間（例えば、２８８００ｍｓ開放又は２９０００ｍｓ開放）に亘り開閉ソレノイドをオン作動させる制御を行う際、駆動時間のうち開閉扉の駆動に影響を及ぼさない程度の瞬停時間に亘り、開閉ソレノイドを一時的にオフ作動させる制御を行い、開閉ソレノイドをオフ作動させる制御を行う停止時間のときと、上述の駆動時間における瞬停時間のときに、磁気異常判定処理を実行するようにしてもよい。
【０１１０】
上述の実施形態において、電磁駆動装置として通常用開閉ソレノイド１７４及び振分用開閉ソレノイド１７５を例示しているが、これに限られるものではなく、例えば、サーボモータやステッピングモータ等の電気モータであってもよい。
【０１１１】
上述の実施形態において、大入賞装置１６０の通常用開閉ソレノイド１７４及び振分用開閉ソレノイド１７５がオフ作動しているときに限り、磁気異常判定処理を実行し、通常用開閉ソレノイド１７４又は振分用開閉ソレノイド１７５がオン作動しているときに、磁気異常判定処理を実行しないように構成されているが、これに限られるものではない。例えば、特定通過口１８５を開閉する特定通過口開閉装置１９１の開閉部材駆動部（ソレノイド駆動部）１９３を振分用開閉ソレノイド１７５と同様にオン・オフ作動するように制御し、開閉部材駆動部１９３もオフ作動しているときに限り磁気異常判定処理を実行して、開閉部材駆動部１９３がオン作動しているときに磁気異常判定処理を実行しないように構成されてもよい。
【０１１２】
また例えば、第２始動入賞装置１５０の始動口開閉装置１５７に設けられた電磁駆動装置（図示せず）がオン作動して、始動口開閉装置１５７のベロ状部材（図示せず）が前方に移動し第２始動入賞口１５１ａに入球可能な状態のとき、磁気異常判定処理を実行しないようにしてもよい。なおこの場合、第２始動入賞装置１５０の電磁駆動装置がオン作動してベロ状部材が前方に移動し第２始動入賞口１５１ａに入球可能な状態の間、第２始動入賞装置１５０の電磁駆動装置を一時的にオフ作動させて磁気異常判定処理を実行するようにしてもよい。
【０１１３】
また例えば、センター飾り１１２の可動式装飾部材１４３を駆動する電磁駆動装置（図示せず）がオン作動して、可動式装飾部材１４３が下方に移動しているとき、磁気異常判定処理を実行しないようにしてもよい。なおこの場合、センター飾り１１２の電磁駆動装置がオン作動して可動式装飾部材１４３が下方に移動している間、センター飾り１１２の電磁駆動装置を一時的にオフ作動させて磁気異常判定処理を実行するようにしてもよい。
【０１１４】
上述の実施形態において、本発明が適用される弾球遊技機の一例として、ぱちんこ遊技機を例示して説明したが、これに限定されるものではなく、例えば、アレンジボール、雀球遊技機などについても同様に適用し、同様の効果を得ることができる。
【符号の説明】
【０１１５】
ＰＭ  ぱちんこ遊技機（弾球遊技機）
ＰＡ  遊技領域
１  外枠
２  内枠（枠部）
１００  遊技盤
１６０  大入賞装置
１６１  大入賞部材（１６１ａ  鍍金部、１６１ｂ  装飾部）
１６２ａ  通常大入賞口（１６２ｓ  通常大入賞センサ）
１６３ａ  振分大入賞口（１６３ｓ  振分大入賞センサ）
１７２  通常用開閉扉（可動部材）
１７３  振分用開閉扉（可動部材）
１７４  通常用開閉ソレノイド（電磁駆動装置）
１７５  振分用開閉ソレノイド（電磁駆動装置）
１７６  通常用開閉揺動機構（付勢部材）
１７６ａ  通常用ダンパーヒンジ
１７７  振分用開閉揺動機構（付勢部材）
１７７ａ  振分用ダンパーヒンジ
１７９  磁気センサ
１０００  主制御装置
１１７４  振分大入賞口制御手段（電磁駆動装置制御手段）
１１７５  通常大入賞口制御手段（電磁駆動装置制御手段）
１５００  異常判定手段
【図１】
2015119760.tif 000003
【図２】
2015119760.tif 000004
【図３】
2015119760.tif 000005
【図４】
2015119760.tif 000006
【図５】
2015119760.tif 000007
【図６】
2015119760.tif 000008
【図７】
2015119760.tif 000009
【図８】
2015119760.tif 000010
【図９】
2015119760.tif 000011
【図１０】
2015119760.tif 000012
【図１１】
2015119760.tif 000013
【図１２】
2015119760.tif 000014
【図１３】
2015119760.tif 000015
【図１４】
2015119760.tif 000016
【図１５】
2015119760.tif 000017
【図１６】
2015119760.tif 000018
【図１７】
2015119760.tif 000019
【図１８】
2015119760.tif 000020
【図１９】
2015119760.tif 000021
【図２０】
2015119760.tif 000022
【図２１】
2015119760.tif 000023
【図２２】
2015119760.tif 000024
【図２３】
2015119760.tif 000025
【図２４】
2015119760.tif 000026